(57)【要約】      （修正有）【課題】吊される衣類のずれ落ち防止と型くずれをなくすと共に優れた使用感を体現でき、縦方向に順次連続して掛け吊るすことを可能にする被吊衣類のずれ落ち防止用軽量ハンガーを提供する。【解決手段】合成樹脂を主材として、底辺枠体と該底辺枠体の両端から上方に一体に連続する山形状の肩枠体とからなる衣紋掛状のハンガー主体を適当な厚みで扁平に成形し、該ハンガー主体には、肩枠体の中央に上方に張出するフックを取り付け、主体全体の表面に接着剤を塗布し、その上に短く裁断したレーヨンやナイロンなどの繊維からなるフロックを散布または高圧静電気でベルベット（ビロード）様に植毛固着してなり、必要によって吊垂具を介して縦方向に順次連続して掛け吊るすことを可能とする。【選択図】図１
0003125321.tif 000002
【実用新案登録請求の範囲】
【請求項１】
合成樹脂を主材として、底辺枠体１と該底辺枠体１の両端から上方に一体に連続する山形状の肩枠体２とからなる衣紋掛状のハンガー主体３を適当な厚みで扁平に成形し、該ハンガー主体３には、肩枠体２の上側面中央に上方に張出するフック４を取り付け、主体３全体の表面に接着剤を塗布し、その上に短く裁断したレーヨンやナイロンなどの繊維からなるフロック５を散布または高圧静電気でベルベット（ビロード）様に植毛固着してなることを特徴とする被吊衣類のずれ落ち防止用軽量ハンガー。
【請求項２】
前記ハンガー主体３に取り付けられたフック４をその先端４ａから差し込んでその根元部４ｂに引掛けて肩枠体２の中央部で支持するようにした吊垂具６を設けた請求項１記載の被吊衣類のずれ落ち防止用軽量ハンガー。
【請求項３】
前記ハンガー主体３の底辺枠体１の中央その他の位置に一個以上の洗濯挟み７を取り付けた請求項１又は２記載の被吊衣類のずれ落ち防止用軽量ハンガー。
【請求項４】
前記吊垂具６及び洗濯挟み７は、全体の表面に接着剤を塗布し、その上に短く裁断したレーヨンやナイロンなどの繊維からなるフロック５が散布または高圧静電気でベルベット（ビロード）様に植毛固着されている請求項２又は３記載の被吊衣類のずれ落ち防止用軽量ハンガー。
【請求項５】
前記合成樹脂は、アクリロニトリル (Acrylonitrile)、ブタジエン (Butadiene)、スチレン (Styrene) のコポリマー（共重合化合物）のABS樹脂である請求項１記載の被吊衣類のずれ落ち防止用軽量ハンガー。
【考案の詳細な説明】
【技術分野】
【０００１】
本考案は、吊される衣類のずれ落ち防止を図ると共に取り扱いの際の手触り感を良好にする外、柔軟で強い剛性により薄く扁平に成形できるようにして箪笥やクローゼットなどの狭い収納スペースでも多数個を掛け吊るすことができ、又、縦方向に順次連続して掛け吊るすことを可能にすることにより多くの衣類を吊垂して収容できる被吊衣類のずれ落ち防止用軽量ハンガーに関するものである。
【背景技術】
【０００２】
従来、軽量ハンガーとしては、一本のワイヤーをハンガー様式に型取った通称はりがねハンガーやプラスチックで形成されたものが広く使用されているが、容易に変形したり破断するなど強度的に安定性を欠く外、吊される衣類が普段の生活において比較的着用頻度の高いシルクのシャツやウールのセーターなどの場合はハンガーから滑り落ちやすく、 しかも、ずり落ちた衣類の重みで繊維が伸びてしまうケースが屡々あった。
【０００３】
上記のような滑りを防止する手段として、シール状のものを貼るか、滑り止め効果のある塗料でコーティングするかなどの方法が提案されているが、それらは年月を経るにつれて滑り止め効果が薄くなったり、剥離してその効果を失うと共に外観も不体裁を呈することが避けられない欠点があった。
【０００４】
また、強度のあるハンガーは幅広く大きな収容空間を占める構造を有しているものが多く、従って、箪笥やクローゼットなどの一定の空間に吊るして収容できる洋服、コート、ジャケットなどの衣類の数も制約される。
【０００５】
その他に、第３０６９６４９号登録実用新案公報に示すような商品陳列用ハンガーが提案されているが、この考案は、小売り店舗等で主としてシャツ等の衣類を販売する際に、衣類をハンガーに掛けたまま折り畳み、かつ、折り畳んだ状態のままで陳列することができるようにしたものであって、ハンガーの横杆の下部に着脱自在の掛止手段を有する帯体が環状に形成され、該帯体により衣類等を挟着抱持するようにしたものであるから、衣類を吊るす一般的なガンガーとは使用目的や構造を全く異にしているものである。
【特許文献１】第３０６９６４９号登録実用新案公報
【考案の開示】
【考案が解決しようとする課題】
【０００６】
本考案の目的とするところは、吊される衣類のずれ落ち防止を図り、それによって吊される衣類の伸びに伴う型くずれをなくすと共に、取り扱いの際の手触りがソフトタッチで良好な風合いがあるなどの優れた使用感を体現できる外、外見上も頗る簡素で優美な姿態を有する剛性、硬度、耐衝撃性などに富む被吊衣類のずれ落ち防止用軽量ハンガーを得ようとするものである。
【０００７】
それに加えて、柔軟で強い剛性により薄く扁平に成形できるようにして箪笥やクローゼットなどの狭い収納スペースでも多数個を掛け吊るすことができ、又、縦方向に順次連続して掛け吊るすことを可能にすることにより多くの衣類を効率的に吊垂して収容できる被吊衣類のずれ落ち防止用軽量ハンガーを得ようとするものである。
【課題を解決するための手段】
【０００８】
本考案は以上の如き観点に鑑みてなされたものであって、その主たる構成は、アクリロニトリル (Acrylonitrile)、ブタジエン (Butadiene)、スチレン (Styrene) のコポリマー（共重合化合物）であるABS樹脂その他の合成樹脂を主材として、底辺枠体と該底辺枠体の両端から上方に一体に連続する山形状の肩枠体とからなる衣紋掛状のハンガー主体を適当な厚みで扁平に成形し、該ハンガー主体には、肩枠体の上側面中央に上方に張出するフックを取り付け、主体全体の表面に接着剤を塗布し、その上に短く裁断したレーヨンやナイロンなどの繊維からなるフロックを散布または高圧静電気でベルベット（ビロード）様に植毛固着してなる被吊衣類のずれ落ち防止用軽量ハンガーを提供しようとするものである。
【０００９】
さらに、前記ハンガー主体に取り付けられたフックをその先端から差し込んでその根元部に引掛けて肩枠体中央部で支持するようにした吊垂具を設けた被吊衣類のずれ落ち防止用軽量ハンガーを提供しようとするものである。
【００１０】
さらに、前記ハンガー主体の底辺枠体の中央その他の位置に一個以上の洗濯挟みを取り付けた被吊衣類のずれ落ち防止用軽量ハンガーを提供しようとするものである。
【００１１】
前記吊垂具及び洗濯挟みは、全体の表面に接着剤を塗布し、その上に短く裁断したレーヨンやナイロンなどの繊維からなるフロックが散布または高圧静電気でベルベット（ビロード）様に植毛固着されている。
【考案の効果】
【００１２】
本考案に係る被吊衣類のずれ落ち防止用軽量ハンガーは以下のような効果を有する。
（１）ハンガー主体は、アクリロニトリル、ブタジエン、スチレンのコポリマーであるABS樹脂その他の合成樹脂を主材して衣紋掛状に扁平に形成されているから軽量で且つ剛性、硬度、耐衝撃性などに優れており、強度的に堅牢である。
（２）ハンガー主体の表面全体がフロック仕上げでベルベット（ビロード）様の粗面を呈しているから、被吊衣類の布地との間での摩擦係数が高く、それによって被吊衣類の荷重を平均的に分散させることができるので、被吊衣類のずれ落ちがなく、ずり落ちた衣類の重みで繊維が伸びるようなことがない。
（３）フロックにいろいろな色の繊維を用いたハンガーを用意すれば、被吊衣類を着用者毎にハンガーの色分けで簡単に識別できる便利さがある。
（４）ハンガー主体は柔軟で強い剛性により薄く扁平に成形できるので、箪笥やクローゼットなどの狭い収納スペースでも多くのハンガー主体を掛け吊るすことができ、それによって多くの衣類を効率的に吊垂して収容できる。
（５）外見上も頗る簡素で優美な姿態を呈するから、周囲の状況に違和感なく適合することができるもので内装的にも良好なデザインを発揮するものである。
（６）ハンガー主体のフックの根元部に引掛けて肩枠体中央部で支持される吊垂具に別のハンガーのフックを掛けて吊るすことにより、ハンガーを順次縦方向に連続して掛け吊るすこともできる。
（７）ハンガー主体の底辺枠体に洗濯挟みを取り付ければ、その洗濯挟みに小物の衣類等を、その一部を挟持させて吊り下げることができる。
（８）取り扱いの際の手触り感がソフトタッチで良好な風合いを有しているので優れた使用感を体現できる。
【考案を実施するための最良の形態】
【００１３】
以下、本考案の具体的な一実施例に係る被吊衣類のずれ落ち防止用軽量ハンガーを図面を参照しながら詳細に説明する。
アクリロニトリル (Acrylonitrile)、ブタジエン (Butadiene)、スチレン (Styrene) のコポリマー（共重合化合物）であるABS樹脂その他の合成樹脂を主材として、底辺枠体１と該底辺枠体１の両端から上方に一体に連続する山形状の肩枠体２とからなる衣紋掛状のハンガー主体３を適当な厚みで扁平に成形されている。
【００１４】
前記ハンガー主体３にはその肩枠体２の中央に上方に張出するフック４が取り付けられている。
【００１５】
前記ハンガー主体３全体の表面に接着剤を塗布し、その上に短く裁断したレーヨンやナイロンなどの繊維からなるフロック５を散布または高圧静電気でベルベット（ビロード）様に植毛固着してある。
【００１６】
さらに、前記ハンガー主体３に取り付けられたフック４をその先端４ａから差し込んでその根元部４ｂに引掛けて肩枠体２の中央部で支持するようにした吊垂具６が設けられている。該吊垂具６の形状は、全体がフック４の先端４ａが入る空間部６ｓを囲繞する枠体であって、前記フック４の根元部４ｂに引掛けれて係止する上縁部６ａと、該上縁部６ａから連続して前記肩枠体２の上側側面に当接する緩斜面部６ｂと、該緩斜面部６ｂから連続して前記肩枠体２の正面に当接する急斜面部６ｃと、該急斜面部６ｃから連続して下端部を上方にＵ字状に起立した起立面部６ｄとから構成されている。
【００１７】
前記ハンガー主体３のフック４の根元部４ｂに対して引掛けられる上縁部６ａ、ハンガー主体３の肩枠体２の上側側面に当接する緩斜面部６ｂ、肩枠体２の正面に当接する急斜面部６ｃとでハンガー主体３の肩枠体中央部で支持される吊垂具６の下端部において、急斜面部６ｃと起立面部６ｄとで形成されるＵ字状承部に別のハンガーのフックを掛けて吊るすことにより、ハンガーを順次縦方向に連続して掛け吊るすことができる。
【００１８】
さらに、前記ハンガー主体３の底辺枠体１の中央その他の位置に一個以上の洗濯挟み７を適宜に取り付けて使用することもできる。
【００１９】
前記吊垂具６及び洗濯挟み７は、前記ハンガー主体３と同様に、全体の表面に接着剤を塗布し、その上に短く裁断したレーヨンやナイロンなどの繊維からなるフロック５が散布または高圧静電気でベルベット（ビロード）様に植毛固着されている。
【図面の簡単な説明】
【００２０】
【図１】本考案一実施例の被吊衣類のずれ落ち防止用軽量ハンガーの全体を示す斜視図である。
【図２】本考案一実施例の被吊衣類のずれ落ち防止用軽量ハンガーを構成する枠体の構造を示す図１のII−II拡大断面図である。
【図３】本考案の他の実施例の被吊衣類のずれ落ち防止用軽量ハンガーを順次縦方向に連続して掛け吊るした状態の使用例を示す構成図である。
【図４】本考案の被吊衣類のずれ落ち防止用軽量ハンガーに使われる吊垂具の一例を示す斜視図である。
【符号の説明】
【００２１】
１  底辺枠体
２  肩枠体
３  ハンガー主体
４  フック
４ａ  フック先端
４ｂ  フック根元部
５  フロック
６  吊垂具
７  洗濯挟み
【図１】
0003125321.tif 000003
【図２】
0003125321.tif 000004
【図３】
0003125321.tif 000005
【図４】
0003125321.tif 000006